(57)【要約】      （修正有）【課題】樹脂硬化用の光として青色から紫色に対応する波長の光を発しながらも、使用感が向上する樹脂硬化用ランプを提供する。【解決手段】樹脂硬化用ランプ１は、本体１０の下方に空間が形成されるように本体１０を支持する支持脚２０及び２５と、互いに波長が異なる青色から紫色の第１の光及び第２の光を樹脂硬化用に出射する、本体１０の下面に設けられたＬＥＤ素子（Ｌｉｇｈｔ  Ｅｍｉｔｔｉｎｇ  Ｄｉｏｄｅ）と、第１の光及び第２の光との合成光が白色光となるような第３の光を出射する、前記本体１０の下面に設けられた蛍光体とを備えている。ＬＥＤ素子及び蛍光体は発光ユニット３０内に設けられている。【選択図】図２
0003206113.tif 000002
【実用新案登録請求の範囲】
【請求項１】
本体の下方に空間が形成されるように前記本体を支持する支持脚と、
互いに波長が異なる青色から紫色の第１の光及び第２の光を樹脂硬化用に出射する、前記本体の下面に設けられたＬＥＤ（Ｌｉｇｈｔ  Ｅｍｉｔｔｉｎｇ  Ｄｉｏｄｅ）素子と、
前記第１及び第２の光との合成光が白色光となるような第３の光を出射する、前記本体の下面に設けられた光出射手段とを備えていることを特徴とする樹脂硬化用ランプ。
【請求項２】
前記ＬＥＤ素子及び前記光出射手段を含んだ発光ユニットが、前記本体の長手方向及び幅方向のそれぞれに関して複数個が離散的に分布し、且つ、前記長手方向及び幅方向の少なくともいずれか一方に関して前記本体のほぼ全体にわたって分布するように設置されていることを特徴とする請求項１に記載の樹脂硬化用ランプ。
【請求項３】
前記支持脚が折り畳み可能であることを特徴とする請求項１又は請求項２に記載の樹脂硬化用ランプ。
【考案の詳細な説明】
【技術分野】
【０００１】
本考案は、光を照射して樹脂を硬化させるランプに関する。
【背景技術】
【０００２】
従来、光を照射することで、ジェルネイルに使用するジェルや、アクセサリー作製時に使用するレジン等の樹脂を硬化させるランプがある。一例として、特許文献１に記載のランプは、樹脂硬化用の光として波長が４０５ｎｍ付近及び３７０ｎｍ付近の光を出射するＬＥＤ（Ｌｉｇｈｔ  Ｅｍｉｔｔｉｎｇ  Ｄｉｏｄｅ，発光ダイオード）を使用している。
【先行技術文献】
【特許文献】
【０００３】
【特許文献１】実用新案登録第３１７９７７７号
【考案の概要】
【考案が解決しようとする課題】
【０００４】
波長が４０５ｎｍ付近及び３７０ｎｍ付近の光は、可視光でいうと青色から紫色の光に相当する。このような青色から紫色の光は、使用者に対し、冷たい印象や不安感等、悪影響をもたらし、使用感を低下させるおそれがある。
【０００５】
本考案の目的は、樹脂硬化用の光として青色から紫色に対応する波長の光を発しながらも、使用感を向上させた樹脂硬化用ランプに関する。
【課題を解決するための手段】
【０００６】
本考案の樹脂硬化用ランプは、本体の下方に空間が形成されるように前記本体を支持する支持脚と、互いに波長が異なる青色から紫色の第１の光及び第２の光を樹脂硬化用に出射する、前記本体の下面に設けられたＬＥＤ（Ｌｉｇｈｔ  Ｅｍｉｔｔｉｎｇ  Ｄｉｏｄｅ）素子と、前記第１及び第２の光との合成光が白色光となるような第３の光を出射する、前記本体の下面に設けられた光出射手段とを備えている。
【０００７】
本考案の樹脂硬化用ランプは、第１及び第２の光との合成光が白色光となるような第３の光を出射する光出射手段を備えている。したがって、樹脂硬化に必要な青色から紫色の光である第１及び第２の光を発しつつ、第３の光を加えた全体の光としては白色光を出射する。よって、使用者に対する悪影響が抑制され、使用感が向上する。
【０００８】
また、本考案は、前記ＬＥＤ素子及び前記光出射手段を含んだ発光ユニットが、前記本体の長手方向及び幅方向のそれぞれに関して複数個が離散的に分布し、且つ、前記長手方向及び幅方向の少なくともいずれか一方に関して前記本体のほぼ全体にわたって分布するように設置されていることが好ましい。発光ユニットが本体の長手方向又は幅方向の全体にわたって分布しているので、本体の下方の広い範囲にわたって樹脂硬化用の光を照射できる。
【０００９】
また、本考案は、前記支持脚が折り畳み可能であることが好ましい。これによると、持ち運びしやすくかつ、収納スペースも少なくて済む。
【図面の簡単な説明】
【００１０】
【図１】本考案の一実施形態における樹脂硬化用ランプを斜め上方から見た斜視図である。
【図２】図１における樹脂硬化用ランプの本体を斜め下方から見た斜視図である。
【図３】図１における光の出射イメージを示す概略図である。
【図４】図１に示す実施形態の変形例における樹脂硬化用ランプを斜め上方から見た斜視図である。
【図５】図４における樹脂硬化用ランプの本体の底面図である。
【考案を実施するための形態】
【００１１】
以下、本考案の一実施形態に係る樹脂硬化用ランプについて、図１〜図３を用いて説明する。図１及び図２に示すように、樹脂硬化用ランプ１は、本体１０、支持脚２０及び２５、並びに発光ユニット３０を有する。本体１０の長手方向の左右には、支持脚２０及び２５が形成されている。樹脂硬化用ランプ１は、本体１０並びに支持脚２０及び２５によって、アーチ型に構成されている。樹脂硬化用ランプ１は、図示しない領域に、装置のオン・オフを切り替えるスイッチを有している。樹脂硬化用ランプ１は、外部電源又は本体１０内に収容したバッテリーから電力供給を受けるように構成されている。
【００１２】
発光ユニット３０は、図３に示すように、ＬＥＤ素子３２及び３４、並びに蛍光体３６（本考案でいう光出射手段）を備えている。ＬＥＤ素子３２は、約３６５ｎｍの光３１（本考案でいう第１の光）を出射する。ＬＥＤ素子３４は、約４０５ｎｍの光３３（本考案でいう第２の光）を出射する。蛍光体３６は、光３１又は３３を吸収して光３５を出射する。光３５（本考案でいう第３の光）は、光３１、３３、及び３５の重ね合わせにより生じる合成光が白色光となるような光である。
【００１３】
ＬＥＤユニット３０は、図２に示すように、本体１０の下面に、長手方向及び幅方向に関して格子状に配列されている。長手方向に関しては６個の発光ユニット３０が離散的に分布している。幅方向に関しては、４個の発光ユニット３０が離散的に分布している。また、幅方向に関しては、発光ユニット３０の分布範囲が本体１０のほぼ幅全体にわたっている。
【００１４】
以下に、樹脂硬化用ランプ１の使用方法について、図１及び図２を用いて説明する。まず、支持脚２０及び２５が本体１０を支持することで本体１０の下方に空間が形成されるように、樹脂硬化用ランプ１を机等の平らな面に設置する。次に、レジンを塗布したアクセサリー、又は爪にジェルを塗布した指先を本体１０下の空間に挿入する。そして、スイッチをＯＮにすることで発光ユニット３０を発光させる。
【００１５】
アクセサリーに使用されるレジン及びジェルネイル用のジェルには、３６５ｎｍ付近の光で硬化するものや、４０５ｎｍ付近の光で硬化するものがある。発光ユニット３０は、前者に対応する光３１を出射するＬＥＤ素子３２及び後者に対応する光３３を出射するＬＥＤ素子３４の両方を含んでいるため、いずれの樹脂も硬化させることができる。また、蛍光体３６が光３１又は３３を吸収して出射する光３５は、光３１及び３３と重なり合うと、その合成光が白色光となる。このように、樹脂硬化用ランプ１は、全体の光として白色光を出射するので、青色や紫色の光である光３１及び３３のみを出射する場合と比べ、使用者に対する悪影響が抑制され、使用感が向上する。さらに、蛍光体３６が光３１又は３３を吸収するので、樹脂硬化用ランプ１から出射される光３１又は３３の強度が抑制される。よって、青色や紫色の光である光３１又は３３による目に対する影響が低下する。
【００１６】
また、発光ユニット３０は、幅方向に関して本体１０のほぼ全体にわたって分布するように設置されているので、本体１０の下方の広い範囲にわたって樹脂硬化用の光を照射できる。よって、ジェルを塗布した爪に照射する場合のように局所的に光を照射する場合のほか、例えば本体１０程度の大きさの、レジンを使用したアクセサリー、又は複数のレジンを使用したアクセサリーに照射する場合にも適用しやすい。
【００１７】
（変形例）
以上は、本考案の好適な実施形態についての説明であるが、本考案は上述の実施形態に限られるものではなく、課題を解決するための手段に記載された範囲の限りにおいて様々な変更が可能なものである。以下、上述の実施形態に係る変形例について説明する。また、上述の実施形態と共通の部分については上述と同じ符号を用いると共に、説明を適宜省略する。
【００１８】
上述の実施形態では、本体１０並びに支持脚２０及び２５によって、アーチ型が構成されている。しかし、図４に示すように、本体４０が矩形の平板状であって、その両端部から下方に向かって支持脚５０及び５５が延びていてもよい。また、支持脚５０は本体１０の近傍へと折り畳み可能であってもよい。図５は支持脚５０及び５５が本体１０の下面に形成された凹部内に折り畳まれた状態を示している。これによると、持ち運びしやすくかつ、収納スペースも少なくて済む。なお、支持脚は矩形の四隅からそれぞれ延びていてもよい。
【００１９】
上述の実施形態では、発光ユニット３０は、本体１０の幅方向に関して本体のほぼ全体にわたって分布するように設置されている。しかし、発光ユニット３０は、全体にわたって分布していなくてもよい。本体１０下方の一定の領域に、光が届くように配置されていればよい。例えば、ジェルネイル専用であれば、図５に示すように指先の配置に対応した位置に発光ユニット３０が設置されてもよい。
【００２０】
上述の実施形態では、発光ユニット３０は、本考案の光出射手段として、光３１及び３３との合成光が白色光となるような光３５を出射する蛍光体３６を有している。しかし、光出射手段として、蛍光体３６に代えて、又は加えて、光３１及び３３との合成光が白色光となるような光を出射するＬＥＤ素子が発光ユニット３０に設けられてもよい。
【００２１】
上述の実施形態では、ＬＥＤ素子３２及び３４が１つの発光ユニット３０内に設けられている。しかし、ＬＥＤ素子３２を有する発光ユニットとＬＥＤ素子３４を有する発光ユニットとがそれぞれ設けられてもよい。この場合、出射手段としては、光３１又は３３との合成光が白色光となるような蛍光を発生させる蛍光体が各発光ユニットに設けられてもよいし、かかる蛍光体がいずれかの発光ユニットに設けられてもよい。あるいは、光３１及び３３との合成光が白色光となるような光を出射するＬＥＤ素子がいずれかの発光ユニットに設けられてもよいし、かかるＬＥＤ素子がさらに別の発光ユニットとして設けられてもよい。
【符号の説明】
【００２２】
１  樹脂硬化用ランプ
１０、４０  本体
２０、２５、５０、５５  支持脚
３０  発光ユニット
３２、３４  ＬＥＤ素子
３６  蛍光体
【図１】
0003206113.tif 000003
【図２】
0003206113.tif 000004
【図３】
0003206113.tif 000005
【図４】
0003206113.tif 000006
【図５】
0003206113.tif 000007